【手続補正書】
【提出日】平成25年3月21日(2013.3.21)
【手続補正１】
【補正対象書類名】特許請求の範囲
【補正対象項目名】全文
【補正方法】変更
【補正の内容】
【特許請求の範囲】
【請求項１】
インクジェットプリンタの印刷プロセスを最適化する方法であって、
第１印刷画像の画像内容を測定する工程と、
前記測定された画像内容を所定のしきい値と比較する工程と、
前記測定された画像内容が前記しきい値を越えている場合は、印刷プロセスパラメータを変更してプリンタ構成要素の動作を調節する工程と、
両面印刷画像を検出する工程と、を有し、
前記印刷プロセスパラメータを変更する工程は、前記測定された画像内容が前記しきい値を越えている場合、剥離剤の塗布のために受像部材の回転速度を変更する工程と、
を含むことを特徴とする方法。
【請求項２】
請求項１に記載の方法において、
前記画像内容が、前記第１印刷画像に対して印刷される画素の数である、方法。
【請求項３】
請求項１に記載の方法であって、さらに、
第２印刷画像の画像内容を測定する工程と、
前記第２印刷画像の前記測定された画像内容を前記所定のしきい値と比較する工程と、
前記第２印刷画像の前記測定された画像内容が前記所定のしきい値を越えている場合、剥離剤の塗布と転写定着動作との少なくともいずれかのために受像部材の回転速度を変更する工程と、
を含むことを特徴とする方法。
【請求項４】
請求項１に記載の方法であって、さらに、
第２印刷画像の画像内容を測定する工程と、
前記第２印刷画像の前記測定された画像内容を前記所定のしきい値と比較する工程と、
前記印刷画像と前記第２印刷画像とのいずれかの測定された画像内容が前記所定のしきい値を越えている場合、剥離剤の塗布と転写定着動作との少なくともいずれかのために受像部材の回転速度を変更する工程と、
を含むことを特徴とする方法。
【請求項５】
請求項４に記載の方法であって、前記画像内容測定はさらに、
前記第１印刷画像と前記第２印刷画像中の複数の領域の各領域において画像内容を測定する工程と、
各測定された画像内容パラメータを所定の領域しきい値と比較する工程と、
前記複数領域のうちのいずれかの領域の測定された画像内容が前記所定のしきい値を越えている場合、前記剥離剤の塗布と前記転写定着動作との少なくともいずれかのために前記受像部材の前記回転速度を変更する工程と、
を含むことを特徴とする方法。
【請求項６】
請求項５に記載の方法において、
前記複数の領域のある１領域に対する前記所定の領域しきい値が、前記複数の領域の別の１領域に対する前記所定の領域しきい値とは異なる、方法。
【請求項７】
請求項５に記載の方法であって、さらに、
転写定着ロール上の複数の領域における各領域であって、前記転写定着ロール上の剥離剤の蓄積に対応する各領域に対してスコアを作成する工程と、
前記第１及び第２の印刷画像のいずれかの少なくとも１領域に対する前記測定された画像内容に関して、前記転写定着ロールの各領域の前記作成されたスコアを修正する工程と、
を含む、方法。
【請求項８】
請求項７に記載の方法であって、さらに、
前記転写定着ロールの領域のうちの１領域に対する前記修正されたスコアが所定のしきい値を越えている場合、前記転写定着動作のために前記受像部材の回転速度を変更する工程、
を含むことを特徴とする方法。
【請求項９】
請求項７に記載の方法であって、さらに、
前記転写定着ロールの領域のうちの１領域に対する前記修正されたスコアが所定のしきい値を越えている場合、前記受像部材に対する剥離剤の塗布のあいだ前記受像部材の回転速度を変更する工程、
を含むことを特徴とする方法。
【請求項１０】
インクジェットプリンタの印刷プロセスを最適化する方法であって、
第１印刷画像の画像内容を測定する工程と、
前記第１印刷画像の前記測定された画像内容を所定のしきい値と比較する工程と、
前記測定された画像内容が前記しきい値を越えている場合、剥離剤の塗布のために受像部材の回転速度を変更する工程と、
を含むことを特徴とする方法。
【請求項１１】
請求項１０に記載の方法であって、さらに、
前記第１印刷画像の複数の領域の各領域に対して画像内容を測定する工程と、
前記第１印刷画像の各領域の前記測定された画像内容を前記所定のしきい値と比較する工程と、
前記第１印刷画像の前記複数の領域のいずれかに対する前記測定された画像内容が前記しきい値を越えている場合、剥離剤の塗布と転写定着動作との少なくともいずれかのために前記受像部材の回転速度を変更する工程と、
を含むことを特徴とする方法。
【請求項１２】
請求項１０に記載の方法であって、さらに、
複数の裏面領域の各領域の裏面スコアを、転写定着ロールの複数領域の対応する領域の転写定着ロールスコアに関して更新する工程であって、前記転写定着ロールスコアが転写定着ロール上の剥離剤の蓄積に対応する、工程と、
前記複数の転写定着ロール領域の各領域の前記転写定着ロールスコアを修正する工程と、
を含むことを特徴とする、方法。
【請求項１３】
請求項１２に記載の方法であって、前記転写定着ロールスコアの修正は、さらに、
各領域の前記転写定着ロールスコアを、最終印刷画像スコアに関して修正する工程と、
各領域に対する前記最終印刷画像スコアを、現印刷動作の各領域に対する前記作成されたスコアで更新する工程と、
を含むことを特徴とする、方法。
【請求項１４】
請求項１３に記載の方法であって、さらに、
第２印刷画像の各領域の測定された画像内容を第２所定しきい値と比較する工程と、
前記第２印刷画像の領域のいずれかに対する前記測定された画像内容が前記第２しきい値を越えている場合、剥離剤の塗布と転写定着動作との少なくともいずれかのために前記受像部材の回転速度を変更し前記第２印刷画像を印刷する工程と、
を含むことを特徴とする、方法。
【請求項１５】
請求項１４に記載の方法であって、さらに、
前記第２印刷画像の各領域の転写定着ロールスコアを、該第２印刷画像の対応する各領域の前記測定された画像内容と、前記複数の裏面領域の対応する各領域の前記裏面スコアとに関して算出する工程と、
前記第２印刷画像の各領域の前記転写定着ロールスコアを、所定の裏面しきい値と比較する工程と、
を含むことを特徴とする、方法。
【請求項１６】
請求項１５に記載の方法であって、さらに、
前記第２印刷画像の前記領域のいずれかの転写定着ロールスコアが前記所定の裏面しきい値を越えている場合に、剥離剤の塗布と転写定着動作との少なくともいずれかのために前記受像部材の回転速度を変更する工程、  
を含むことを特徴とする、方法。
【請求項１７】
請求項１６に記載の方法であって、さらに、
前記第２印刷画像の前記領域のいずれかの転写定着ロールスコアが前記所定の裏面しきい値を越えている場合に、前記受像部材への剥離剤の塗布のあいだ該受像部材の回転速度を変更する工程、  
を含むことを特徴とする、方法。
【請求項１８】
複数の転写定着モードと複数の剥離剤塗布モードとを有するインクジェットプリンタであって、
剥離剤が被覆された回転可能な受像部材と、
前記回転可能な受像部材に近接し、インク滴を該受像部材上に吐出して該回転可能な受像部材上に、上端を有するインク像を形成するプリントヘッドと、
前記回転可能な受像部材の近接し、かつ前記プリントヘッドの下流側に位置する転写定着ロールであって、前記回転可能な受像部材との間に周期的に転写定着ニップを形成するために、前記回転可能な受像部材に近づく動きと該受像部材から遠ざかる動きが可能な、転写定着ロールと、
前記回転可能な受像部材に選択的に係合して剥離剤を該回転可能な受像部材に塗布するように構成された剥離剤アプリケータと、
少なくとも１つの印刷画像の画像内容を解析するとともに、前記少なくとも１つの印刷画像の画像内容が所定のしきい値を越えている場合に、剥離剤の塗布のために前記受像部材の回転速度を変更するように構成されたコントローラと、
を含む、インクジェットプリンタ。
【請求項１９】
請求項１８に記載のインクジェットプリンタであって、
前記コントローラは、さらに、前記転写定着ロール上の剥離剤の量に対応する転写定着ロールスコアを維持するとともに、少なくとも１つの印刷プロセスパラメータを前記転写定着ロールスコアに関して変更するように構成されている、インクジェットプリンタ。